【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
スクランブラ初期値フィールドを含むヘッダと、Short Sector Sweepペイロードとを含むＰＨＹフレームを生成するＰＨＹフレーム生成部と、
前記生成されたＰＨＹフレームを送信する送信部と、
を具備し、
InitiatorによるTransmission Sector Sweepの場合は、前記Short Sector Sweepペイロードは、Short Scrambled Basic Service Set ID（Short Scrambled BSSID）が設定されたShort Scrambled BSSIDフィールドを含み、前記Short Scrambled BSSIDは、Basic Service Set ID（BSSID）を構成する複数のビットを複数のワードに分割し、前記スクランブラ初期値フィールドの値をシード値として用いて前記複数のワードの各々をスクランブルし、前記スクランブルされた複数のワードの連結に対して巡回冗長検査（ＣＲＣ：Cyclic Redundancy Check）符号化を適用し、ＣＲＣ符号化により得られたビット列の上位ビットを取得することにより生成される、
通信装置。
【請求項２】
前記Short Scrambled BSSIDは、前記ＣＲＣ符号化により得られたビット列の下位ビットを破棄することにより生成される、
請求項１記載の通信装置。
【請求項３】
前記スクランブルは、前記スクランブラ初期値フィールドの値に特定の定数を乗算し、乗算結果のビット数を制限することにより得られるスクランブルパターンを、前記複数のワードの各々に加算することにより行われる、
請求項１又は２に記載の通信装置。
【請求項４】
前記BSSIDを構成する複数のビットは４８ビットであり、前記４８ビットをそれぞれ１６ビットからなる３つのワードに分割し、前記スクランブラ初期値フィールドの値を用いて生成されるスクランブルパターンを前記３つのワードの各々に加算することにより、前記スクランブルを行う、
請求項１又は２に記載の通信装置。
【請求項５】
前記スクランブルパターンは、前記スクランブラ初期値フィールドの値に特定の定数を乗算し、乗算結果のビット数を制限することにより得られる、
請求項４に記載の通信装置。
【請求項６】
前記ＣＲＣ符号化により得られたビット列の上位ビットは、前記ＣＲＣ符号化により得られる１６ビットのうちの上位１０ビットである、
請求項１ないし５のいずれか一項に記載の通信装置。
【請求項７】
前記Short Sector Sweepペイロードは、送信方向を示すDirectionフィールドを含み、
前記DirectionフィールドがResponderによるTransmission Sector Sweepを示す場合は、前記Short Sector Sweepペイロードは、Short Sector Sweep Feedbackフィールドを含み、
前記DirectionフィールドがInitiator によるTransmission Sector Sweepを示す場合は、前記Short Sector Sweepペイロードは、前記Short Sector Sweep Feedbackフィールドの代わりに、前記Short Scrambled BSSIDフィールドとReservedフィールドとを含む、
請求項１ないし６のいずれか一項に記載の通信装置。
【請求項８】
前記Short Sector Sweepペイロードは、Short Sector Sweepパケットであるか否かを示すパケットタイプフィールドを含む、
請求項１ないし７のいずれか一項に記載の通信装置。
【請求項９】
スクランブラ初期値フィールドを含むヘッダと、Short Sector Sweepペイロードとを含むＰＨＹフレームを生成し、
前記生成されたＰＨＹフレームを送信し、
InitiatorによるTransmission Sector Sweepの場合は、前記Short Sector Sweepペイロードは、Short Scrambled Basic Service Set ID（Short Scrambled BSSID）が設定されたShort Scrambled BSSIDフィールドを含み、前記Short Scrambled BSSIDは、Basic Service Set ID（BSSID）を構成する複数のビットを複数のワードに分割し、前記スクランブラ初期値フィールドの値をシード値として用いて前記複数のワードの各々をスクランブルし、前記スクランブルされた複数のワードの連結に対して巡回冗長検査（ＣＲＣ：Cyclic Redundancy Check）符号化を適用し、ＣＲＣ符号化により得られたビット列の上位ビットを取得することにより生成される、
通信方法。
【請求項１０】
前記Short Scrambled BSSIDは、前記ＣＲＣ符号化により得られたビット列の下位ビットを破棄することにより生成される、
請求項９記載の通信方法。
【請求項１１】
前記スクランブルは、前記スクランブラ初期値フィールドの値に特定の定数を乗算し、乗算結果のビット数を制限することにより得られるスクランブルパターンを、前記複数のワードの各々に加算することにより行われる、
請求項９又は１０に記載の通信方法。
【請求項１２】
前記BSSIDを構成する複数のビットは４８ビットであり、前記４８ビットをそれぞれ１６ビットからなる３つのワードに分割し、前記スクランブラ初期値フィールドの値を用いて生成されるスクランブルパターンを前記３つのワードの各々に加算することにより、前記スクランブルを行う、
請求項９又は１０に記載の通信方法。
【請求項１３】
前記スクランブルパターンは、前記スクランブラ初期値フィールドの値に特定の定数を乗算し、乗算結果のビット数を制限することにより得られる、
請求項１２に記載の通信方法。
【請求項１４】
前記ＣＲＣ符号化により得られたビット列の上位ビットは、前記ＣＲＣ符号化により得られる１６ビットのうちの上位１０ビットである、
請求項９ないし１３のいずれか一項に記載の通信方法。
【請求項１５】
前記Short Sector Sweepペイロードは、送信方向を示すDirectionフィールドを含み、
前記DirectionフィールドがResponderによるTransmission Sector Sweepを示す場合は、前記Short Sector Sweepペイロードは、Short Sector Sweep Feedbackフィールドを含み、
前記DirectionフィールドがInitiator によるTransmission Sector Sweepを示す場合は、前記Short Sector Sweepペイロードは、前記Short Sector Sweep Feedbackフィールドの代わりに、前記Short Scrambled BSSIDフィールドとReservedフィールドとを含む、
請求項９ないし１４のいずれか一項に記載の通信方法。
【請求項１６】
前記Short Sector Sweepペイロードは、Short Sector Sweepパケットであるか否かを示すパケットタイプフィールドを含む、
請求項９ないし１５のいずれか一項に記載の通信方法。